(57)【特許請求の範囲】
【請求項１】
既設下枠のガイドレールを切断除去することなく，該ガイドレール上に位置するように該既設下枠をカバーして新設サッシ枠における新設下枠を設置したカバー工法による改装サッシであって，上記新設下枠を，下枠本体とブラケットのそれぞれ一体の２部材構成とし，上記下枠本体を，その下枠基板に起立した引き違い障子を開閉案内する内外一対のガイドレールと該ガイドレール間及び室内側にそれぞれ室内側で障子に対接する気密材設置用２条の起立条とを備えた引き違いサッシ用としてこれらガイドレール及び起立条を同一高さに構成するとともに上記ブラケットを室内側上位の窓台載置条及び室外側下位の支持条を具備して構成し，該ブラケットの窓台載置条を直接又は既設下枠の既設窓台載置条を介して窓台に載置固定する一方，該ブラケットの室外側下位の支持条上に下枠本体の幅方向室内側部分を載置固定し且つ該新設下枠の室外側下端部位を既設下枠又はその躯体に対接固定することによって，上記下枠本体のガイドレール及び起立条の上記高さを上記窓台載置条と同一又は略同一をなす納まりとして，上記既設下枠をカバーして新設下枠を設置してなることを特徴とする改装サッシ。
【請求項２】
上記下枠本体のガイドレール及び起立条の上記高さを上記窓台載置条と同一又は略同一をなす納まりに代えて，下枠本体のガイドレール及び起立条の上記高さを上記窓台の平坦上面と同一又は略同一をなす納まりとしてなることを特徴とする請求項１に記載の改装サッシ。
【請求項３】
上記新設下枠のブラケットを，上記窓台載置条と支持条に加えて，窓台室外側側面に沿う側面起立条を備え，該側面起立条を既設下枠の既設室内側起立条に重合して窓台室外側側面に添設又は固定してなることを特徴とする請求項１又は２に記載の改装サッシ。
【請求項４】
既設下枠のガイドレールを切断除去することなく，既設下枠をカバーして新設サッシ枠における新設下枠を設置したカバー工法によるサッシ改装方法であって，上記新設下枠を，下枠本体とブラケットの２部材構成とし，上記下枠本体を，その下枠基板に起立した引き違い障子を開閉案内する内外一対のガイドレールと該ガイドレール間及び室内側にそれぞれ室内側で障子に対接する気密材設置用２条の起立条とを備えた引き違いサッシ用としてこれらガイドレール及び起立条を同一高さに構成するとともに上記ブラケットを室内側上位の窓台載置条及び室外側下位の支持条を具備して構成し，該ブラケットの室内側上位の窓台載置条を直接又は既設下枠の既設窓台載置条を介して窓台に載置固定し，該ブラケットの室外側下位の支持条上に枠組みした新設サッシ枠の新設下枠における下枠本体の幅方向室内側部分を載置固定し且つ該新設下枠の室外側下端部位を既設下枠に対接固定することによって，上記下枠本体のガイドレール及び起立条の上記高さを上記窓台載置条と同一又は略同一をなす納まりとして，上記既設下枠をカバーして新設サッシ枠の新設下枠を設置することを特徴とするサッシ改装方法。
【請求項５】
上記下枠本体のガイドレール及び起立条の上記高さを上記窓台載置条と同一又は略同一をなす納まりに代えて，下枠本体のガイドレール及び起立条の上記高さを上記窓台の平坦上面と同一又は略同一をなす納まりとすることを特徴とする請求項４に記載のサッシ改装方法。
【発明の詳細な説明】
【技術分野】
【０００１】
本発明は改装サッシに関し，特にカバー工法による改装サッシ及びそのサッシ改装方法に関する。
【背景技術】
【０００２】
鋼製サッシに代わってアルミサッシが使用されてから数十年が経過し，該アルミサッシのサッシ改装が，例えばカバー工法によって行われるようになり，この場合上枠及び左右の側枠は，一般に下枠に比して比較的単純形状に構成されるため，新設サッシ枠における新設上枠及び左右の新設側枠は，既設サッシ枠における既設上枠及び左右の既設側枠にこれを基準枠として，これらの間に開口を狭める介装金具を設置することなく，開口面内側に直付け状に対接固定することにより比較的容易にその設置をなし得るが，一般に，下枠は傾斜乃至階段状に室外側に降下する下枠基板に上向きのガイドレール，室内側の起立条等が設置された比較的複雑形状に構成されるため，新設サッシ枠における新設下枠を既設サッシ枠における既設下枠を基準枠として新設下枠の荷重を支持可能な介装金具を用いるのが一般であるが，該介装金具を用いると，新設下枠が既設下枠位置から大きく上昇する結果，開口の狭まりが拡大するという欠点がある。
【０００３】
このため，例えば該カバー工法の一つの形態として，ガイドレール，特にその室内側のガイドレールを残存する一方，室外側のガイドレールを下枠基板から切断除去して該部分を開放した上，残存した室内側のガイドレールの側面にＬ字チャンネル材の垂下片を対接固定して該Ｌ字チャンネル材の水平片上に階段状に構成した新設下枠の幅方向室内側部分を載置固定し且つ該新設下枠の室外側下端部位を既設下枠に対接固定した納まり構造のものが提案されており，この場合室外側のガイドレールが切断除去されて該部分が開放されるから，該室外側のガイドレールが新設下枠の下枠基板と当るのを解消し，その結果，新設下枠は室外側のガイドレールに対接固定したＬ字チャンネル材の上位位置から室外側に階段状に降下するように設置され，このとき新設下枠の室内側の起立条を省略することによって新設下枠が既設下枠設置の窓台から大きく上方に突出することによる開口の狭まりを可及的に防止するものとされる。
【０００４】
【特許文献１】特開２００３−３２８６４６号公報
【発明の開示】
【発明が解決しようとする課題】
【０００５】
この場合，カバー工法のサッシ改装において，上記開口の狭まりを可及的に防止する好ましい納まり構造のものとすることが可能となるが，一方でガイドレール，特に室外側のガイドレールを切断除去する煩雑な作業を必要とする問題点が残されている。即ちガイドレールは一般に１．５〜２ｍｍ程度の肉厚を有していること，その室内側に更にガイドレールが存在すること，ガイドレールは既設下枠の全長に起立した長尺のものであることから，足場を組んで室外側から回転カッター等を使用すれば別にしても，これを室内側から作業するには，ニッパーや専用工具を用いて，その幅の１〜２ｃｍ程度づつ順次食いちぎるように，また新設下枠の設置を阻害しない程度にレベルを合わせて手作業で切断除去する必要があって，現場作業が煩雑であるとともに時間が掛るのを避けられない。
【０００６】
本発明はかかる事情に鑑みてなされたもので，その解決課題とするところは，カバー工法でありながら，既設下枠のガイドレールを切断除去することなく，現場作業を可及的簡易になし得るとともに開口の狭まりを可及的に防止して好ましい納まり構造を有することが可能な改装サッシを提供するにあり，またそのサッシ改装方法を提供するにある。
【課題を解決するための手段】
【０００７】
上記課題に沿って検討したところ，新設下枠を，引き違いサッシ用として障子を開閉案内する内外一対のガイドレール及び気密材を設置する２条の起立条を同一高さに備えた下枠本体と，該下枠本体を載置固定する支持条を室外側の下位に，窓台に載置固定する窓台載置条を室内側の上位に具備したブラケットとの室内外幅方向２部材に分割形成し，該ブラケットの室内側上位の窓台載置条を直接に又は該窓台に載置固定した既設下枠の既設窓台載置条を介して間接的に窓台に載置固定する一方，該ブラケットにおける上記室外側下位の支持条に上記下枠本体の室内側部分を載置固定し，また該下枠本体の室外側下端部位を既設下枠又はその躯体に対接固定することによって新設下枠を設置し，上記下枠本体のガイドレール及び起立条の上記高さを上記窓台載置条と同一又は略同一をなす納まりとして，上記既設下枠をカバーして新設下枠を設置するようにすれば，既設下枠のガイドレールを切断除去することなく，室内側の簡易な作業によってカバー工法によるサッシ改装をなし得るとともに下枠本体に異長に起立するものがないようにしてガイドレールによって開閉案内する内外障子の共通化と室内側からの装着及び取外しを可能として，室内側からの外観を良好とし，これら下枠本体のガイドレール及び起立条と窓台載置条の納まり形態を良好且つ違和感のないものとしつつ改装サッシの新設下枠が窓台上方へ突出するのを抑制して開口の狭まりを可及的に防止し得る好ましい納まり構造を得られることに着目して本発明をなすに至ったもので，即ち請求項１に記載の発明は，これを，既設下枠のガイドレールを切断除去することなく，該ガイドレール上に位置するように該既設下枠をカバーして新設サッシ枠における新設下枠を設置したカバー工法による改装サッシであって，上記新設下枠を，下枠本体とブラケットのそれぞれ一体の２部材構成とし，上記下枠本体を，その下枠基板に起立した引き違い障子を開閉案内する内外一対のガイドレールと該ガイドレール間及び室内側にそれぞれ室内側で障子に対接する気密材設置用２条の起立条とを備えた引き違いサッシ用としてこれらガイドレール及び起立条を同一高さに構成するとともに上記ブラケットを室内側上位の窓台載置条及び室外側下位の支持条を具備して構成し，該ブラケットの窓台載置条を直接又は既設下枠の既設窓台載置条を介して窓台に載置固定する一方，該ブラケットの室外側下位の支持条上に下枠本体の幅方向室内側部分を載置固定し且つ該新設下枠の室外側下端部位を既設下枠又はその躯体に対接固定することによって，上記下枠本体のガイドレール及び起立条の上記高さを上記窓台載置条と同一又は略同一をなす納まりとして，上記既設下枠をカバーして新設下枠を設置してなることを特徴とする改装サッシとしたものである。
【０００８】
請求項２に記載の発明は，上記と同様にして，上記下枠本体のガイドレールと起立条の高さを，上記窓台の平坦上面と同一又は略同一をなす納まりのものとするように，これを，上記下枠本体のガイドレール及び起立条の上記高さを上記窓台載置条と同一又は略同一をなす納まりに代えて，下枠本体のガイドレール及び起立条の上記高さを上記窓台の平坦上面と同一又は略同一をなす納まりとしてなることを特徴とする請求項１に記載の改装サッシとしたものである。
【０００９】
請求項３に記載の発明は，上記に加えて，上記ブラケットが窓台載置条及び支持条とともに窓台の室外側側面に添設又は固定する側面起立条を備えることによって，支持条に下枠本体を載置するブラケットの構造強度と安定した設置を可能とするように，これを，上記新設下枠のブラケットを，上記窓台載置条と支持条に加えて，窓台室外側側面に沿う側面起立条を備え，該側面起立条を既設下枠の既設室内側起立条に重合して窓台室外側側面に添設又は固定してなることを特徴とする請求項１又は２に記載の改装サッシとしたものである。
【００１０】
請求項４及び５に記載の発明は，それぞれ上記改装サッシの改装方法を提供するように，請求項４に記載の発明を，既設下枠のガイドレールを切断除去することなく，該ガイドレール上に位置するように該既設下枠をカバーして新設サッシ枠における新設下枠を設置するカバー工法によるサッシ改装方法であって，上記新設下枠を，下枠本体とブラケットのそれぞれ一体の２部材構成とし，上記下枠本体を，その下枠基板に起立した引き違い障子を開閉案内する内外一対のガイドレールと該ガイドレール間及び室内側にそれぞれ室内側で障子に対接する気密材設置用２条の起立条とを備えた引き違いサッシ用としてこれらガイドレール及び起立条を同一高さに構成するとともに上記ブラケットを室内側上位の窓台載置条及び室外側下位の支持条を具備して構成し，該ブラケットの室内側上位の窓台載置条を直接又は既設下枠の既設窓台載置条を介して窓台に載置固定し，該ブラケットの室外側下位の支持条上に枠組みした新設サッシ枠の新設下枠における下枠本体の幅方向室内側部分を載置固定し且つ該新設下枠の室外側下端部位を既設下枠に対接固定することによって，上記下枠本体のガイドレール及び起立条の上記高さを上記窓台載置条と同一又は略同一をなす納まりとして，上記既設下枠をカバーして新設サッシ枠の新設下枠を設置することを特徴とするサッシ改装方法。とし，請求項５に記載の発明を，上記下枠本体のガイドレールと起立条の高さを，上記窓台の平坦上面と同一又は略同一をなす納まりとするように，これを，上記下枠本体のガイドレール及び起立条の上記高さを上記窓台載置条と同一又は略同一をなす納まりに代えて，下枠本体のガイドレール及び起立条の上記高さを上記窓台の平坦上面と同一又は略同一をなす納まりとすることを特徴とする請求項４に記載のサッシ改装方法としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，新設下枠を，引き違いサッシ用として障子を開閉案内する内外一対のガイドレール及び気密材を設置する２条の起立条を同一高さに備えた下枠本体と，該下枠本体を載置固定する支持条を室外側の下位に，窓台に載置固定する窓台載置条を室内側の上位に具備したブラケットとの室内外幅方向２部材に分割形成し，該ブラケットの室内側上位の窓台載置条を直接に又は該窓台に載置固定した既設下枠の既設窓台載置条を介して間接的に窓台に載置固定する一方，該ブラケットにおける上記室外側下位の支持条に上記下枠本体の室内側部分を載置固定し，また該下枠本体の室外側下端部位を既設下枠又はその躯体に対接固定することによって新設下枠を設置し，上記下枠本体のガイドレール及び起立条の上記高さを上記窓台載置条と同一又は略同一をなす納まりとして，上記既設下枠をカバーして新設下枠を設置することによって，カバー工法でありながら，既設下枠のガイドレールを切断除去することなく，現場作業を可及的簡易になし得るとともに開口の狭まりを可及的に防止して好ましい納まり構造を有することが可能な改装サッシを提供することができる。
【００１３】
請求項２に記載の発明は，上記と同様にして，上記下枠本体のガイドレールと起立条の高さを，上記窓台の平坦上面と同一又は略同一をなす納まりのものとするができる。
【００１４】
請求項３に記載の発明は，上記に加えて，上記ブラケットが窓台載置条及び支持条とともに窓台の室外側側面に添設又は固定する側面起立条を備えることによって，支持条に下枠本体を載置するブラケットの構造強度と安定した設置を可能とすることができる。
【００１５】
請求項４及び５に記載の発明は，それぞれカバー工法でありながら，既設下枠のガイドレールを切断除去することなく，現場作業を可及的簡易になし得るとともに開口の狭まりを可及的に防止して好ましい納まり構造を有することが可能なサッシ改装方法を提供することができる。
【発明を実施するための最良の形態】
【００１６】
以下図面の例に従って本発明を更に具体的に説明すれば，図１及び図２においてＡは，カバー工法によって，既設下枠のガイドレールを切断除去することなく，該ガイドレール上に位置するように該既設下枠をカバーして新設サッシ枠における新設下枠を設置して改装した引き違いテラスタイプの改装サッシであり，本例にあって既設サッシ枠の見込幅が標準的で且つ既設サッシ枠の既設下枠が階段状の下枠基板を有する場合の改装サッシを示し，該改装サッシＡは，常法に従って長尺アルミ押出材製の既設サッシ枠に予め枠組みした同じく長尺アルミ押出材製の新設サッシ枠を嵌め込み固定することによって該新設サッシ枠によって既設サッシ枠をカバーしてサッシ枠を改装し，該新設サッシの開口内に内外一対の新設障子７１を開閉自在に配置したものとしてある。
【００１７】
新設サッシ枠における新設上枠２１及び左右の新設縦枠２２は，その既設サッシ枠の既設上枠１１及び左右の既設縦枠１２の開口に，例えばアルミ押出材又は鋼製のコ字チャンネル材２３をそれぞれ嵌合する一方，該既設上枠１１及び既設縦枠１２の室内側フィンに，例えば数ｃｍ幅程度の鋼製矩形平板による連結金具２４を開口側に張出すように所定間隔に対接配置し，該連結金具２４側からのネジ５１をそれぞれ室内側フィン及びチャンネル材２３に螺入し，これらを一体化することによって既設上枠１１及び既設縦枠１２の室内側フィンを挟持してチャンネル材２３と連結金具２４を固定する一方，上記所定間隔の連結金具２４に新設上枠２１及び新設縦枠２２の室内側固定フィンを対接し，該連結金具２４側からそれぞれネジ５１を該室内側固定フィンに螺入し，該ネジ４１によって新設上枠２１及び新設縦枠２２を室内側に引込み，これらの室外側先端の押圧フィンに設置した気密材５２を既設上枠１１及び既設縦枠１２の室外側フィンに圧着することによって，新設上枠２１及び新設縦枠２２によって既設上枠１１及び既設縦枠１２を挟持するようにこれら既設上枠１１及び既設縦枠１２をカバーして新設上枠２１及び新設縦枠２２を設置し，併せて該新設上枠２１及び新設縦枠２２と既設の額縁１５間にアルミ製額縁６１を配置することによってこれを被覆したものとしてある。
【００１８】
このとき新設サッシ枠における新設下枠３１は，これを，下枠本体３２とブラケット４０のそれぞれ一体の２部材構成とし，上記下枠本体３２を，その下枠基板３３に起立した引き違い障子を開閉案内する内外一対のガイドレール３４と該ガイドレール３４間及び室内側にそれぞれ室内側で障子に対接する気密材５２設置用２条の起立条３５とを備えた引き違いサッシ用としてこれらガイドレール３４及び起立条３５を同一高さに構成するとともに上記ブラケット４０を室内側上位の窓台載置条４１及び室外側下位の支持条４３を具備して構成し，該ブラケット４０の窓台載置条４１を直接又は既設下枠の既設窓台載置条を介して窓台１６に載置固定する一方，該ブラケット４０の室外側下位の支持条４３上に下枠本体３２の幅方向室内側部分を載置固定し且つ該新設下枠３２の室外側下端部位を既設下枠１３又はその躯体に対接固定することによって，上記下枠本体３２のガイドレール３４及び起立条３５の上記高さを上記窓台載置条４１と同一又は略同一をなす納まりとして，上記既設下枠１３をカバーして新設下枠３１を設置したものとしてある。
【００１９】
本例の上記新設下枠３１の上記下枠本体３２は，下枠基板３３と引き違い障子７１を開閉案内するガイドレール３４とを備えたものとしてあり，本例にあって該下枠本体３２は，これを，上記下枠基板３３と，該下枠基板３３に起立した引き違い障子を開閉案内する内外一対のガイドレール３４と該ガイドレール３４間及び室内側にそれぞれ室内側で障子に対接する気密材５２設置用２条の起立条３５とを備えた引き違いサッシ用とするとともにこれらガイドレール３４及び起立条３５を同一高さとしてあり，また本例の上記ブラケット４０は，これを，上記窓台載置条４１と支持条４３に加えて，窓台１６室外側側面に沿う側面起立条４５を備え，該側面起立条４５を既設下枠１３の室内側起立条に重合して窓台１６室外側側面に添設又は固定，本例にあっては添設したものとしてある。
【００２０】
即ち本例にあって上記下枠本体３２とブラケット４０は，いずれもアルミ押出材製のものとするとともに下枠本体３２にタッピングホールを設置し，新設縦枠２２からタッピングビスを螺入して新設サッシ枠としての枠組みを行う一方，ブラケット４０は，該新設サッシ枠としての枠組み外の，上記新設上枠２１及び新設縦枠２２を設置するに用いたコ字チャンネル材２３と同じく独立部材をなすものとしてある。
【００２１】
本例の下枠本体３２は，下枠基板３３と，該下枠基板３３にそれぞれ上向き同長に起立して同一高さとした内外一対のガイドレール３４及び該ガイドレール３４間と室内側において各障子７１に対接する気密材５２を設置する上端の気密材受を室外側に向けて開口して上記内外一対のガイドレール３４と同一高さとした２条の起立条３５と，上記内外一対のうち室内側のガイドレール３４とその室内側の起立条３５の下位に位置するように下方に向けて短寸同長に突出した内外一対の載置用脚部３６と，下枠基板３３の中間部から既設下枠１３の室外側を覆うように下方に向けて突出し且つ下端に対接固定部３８を設置した下向き突片３７とを備え，本例にあって上記内外一対のうち室外側の載置用脚部３６と下向き突片３７に上記枠組み用のタッピングホールを，また下向き突片３７の下部にして上記対接固定部３８近傍に室外側に向けてＬ字状に突出した網戸レール３９を備えたものとしてある。このとき上記下枠基板３３は，室内外に水平又は段差を付した基板部と，該基板部を連結する中間の連結部を一体に形成した水平の基板として基板強度を確保するとともに上記下向き突片３７を室外側の基板部下面から突出することにより，上記室内側のガイドレール３４と起立条３５の下位に配置した室内外一対の載置用脚部３６と相俟って，下枠基板３３の剛性を高度に確保し，該下枠本体３２が障子７１の荷重を支承するに相応しい強度を備えたものとしてある。
【００２２】
該下枠本体３２と新設下枠３１を構成し，上記窓台載置条４１，支持条４３及び側面起立条４５を備えた本例のブラケット４０は，上記下枠本体３２と略同長の長尺一体のものとしてあり，本例にあって該ブラケット４０は，室内側の水平の窓台載置条４１と，室外側に該窓台載置条４１と段差をなすように下位に位置した同じく水平の支持条４３と，これら窓台載置条４１と支持条４３間を垂直に連結する側面起立条４５とを備えた断面Ｓ字状をなすものとしてある。このとき本例のブラケット４０は，上記窓台載置条４１の下面に複数のリブを，窓台載置条４１の室外側に水返しをなすように突出し下枠本体３２との間で気密性を確保する下向きの気密材受を形成した突出条４２を，また支持条４３の中間位置に上記突出条４２の先端位置との間で下枠本体３２の上記室内側の載置用脚部３６を挟み込む挟持リブ４４をそれぞれ備えたものとしてある。
【００２３】
このように形成した下枠本体３２とブラケット４０からなる新設下枠３１は，ブラケット４０を窓台１６に先行配置して該ブラケット４０によって下枠本体３２を支持することによってその設置を行うようにしてあり，即ちブラケット４０の窓台載置条４１を窓台１６に直接，既設下枠１３の既設窓台載置条が既に窓台１６に存在するときにはこれを介して窓台１６に間接的にそれぞれ載置固定し，本例にあっては側面起立条４５を窓台１６の室外側側面に添設し，該ブラケット４０の窓台１６から室外側に突出し，既設下枠１３における室内側のガイドレール上に位置するように配置される支持条４３に下枠本体３２の幅方向室内側部分，本例にあってはその上記室内外一対の載置用脚部３６を載置固定し且つ下枠本体３２の室外側下端部位，即ち上記対接固定部３８を，既設下枠３２における室外側端部，本例にあっては既設下枠１３の網戸レール１４に対接固定することによってその設置を行ってある。このとき上記窓台載置条４１の窓台１６への載置固定は，該窓台載置条４１の上面から窓台１６に対して長手方向所定間隔のネジ５１を螺入してこれを行うとともに該ネジ５１の固定によって側面起立条４５を既設室内側起立条に重合させてその添設を行うものとしてある。上記支持条４３への下枠本体３２の載置は，支持条４３に下枠本体３２を載せることによって該支持条４３の上記挟持リブ４４がその室内側の載置用脚部３６を引掛状とするとともに窓台載置条４１から室外側に突出した突出条４２が室内側の起立条３５を引掛状として，これら挟持リブ４４と突出条４２によって下枠本体３２の室内端を上下に挟持してその定位置の載置を可能とする。従って下枠本体３２の載置固定は，該定位置の載置状態で，下枠基板３３の上面，本例にあってはその上記室内側の基板部の上面から支持条４３に対して同じく長手方向所定間隔のネジ５１を螺入してこれを行うようにすればよく，また下枠本体３２の室外側下端部位の既設下枠１３への対接固定は，その対接固定部３８の室外側から既設下枠１３の網戸レール１４に対して同じく長手方向所定間隔のネジ５１を螺入してこれを行えばよい。このとき本例の下枠本体３２とブラケット４０は，下枠本体３２の上記同一高さとしたガイドレール３４と起立条３５が，その高さを上記窓台載置条４１と同一又は略同一をなす納まりとしてあり，本例にあっては下枠本体３２の室内側のガイドレール３４及び起立条３５の高さをブラケット４０の支持条４３と窓台載置条４１の室外側の突出部４２との高さと一致するように下枠本体３２及びブラケット４０を形成することによって該納まりとするようにしてあり，これによって窓台載置条４１の延長線上にガイドレール３４及び起立条３５の先端が位置することによって室内側からの外観を好ましいものとしてある。
【００２４】
本例の改装サッシＡにおける新設下枠３１の改装は，上記構造のものとするように，ブラケット４０の室内側上位の窓台載置条４１を直接又は既設下枠の既設窓台載置条を介して窓台１６に載置固定し，該ブラケット４０の室外側下位の支持条４３上に上記下枠本体３２の幅方向室内側部分を載置固定し且つ該新設下枠３１の室外側下端部位を既設下枠１３に対接固定することによって，既設下枠１３のガイドレールを切断除去することなく，既設下枠１３をカバーして新設サッシ枠における新設下枠３１を設置する方法によってこれを行うものとしてあるところ，該改装サッシＡの改装方法を説明すれば，新設上枠２１及び左右の新設縦枠２２を固定する固定部材，即ち本例にあってはチャンネル材２３と連結部材２４及び新設下枠３１のブラケット４０を既設上枠１１と左右の既設縦枠１２及び窓台１６に固定した後に，枠組みした新設サッシ枠を既設サッシ枠の開口に嵌め込み，新設上枠２１及び左右の新設縦枠２２をそれぞれ固定部材を介して既設上枠１１及び左右の既設縦枠１２に固定するとともにブラケット４０の支持条４３に新設下枠３１の下枠本体３２を固定することによって，これを行うものとしてある。
【００２５】
即ち本例にあっては，既設サッシ枠の既設上枠１１及び左右の既設縦枠１２に上記コ字チャンネル材２３と連結金具２４を，既設下枠１３の窓台１６にブラケット４０をそれぞれ固定した後に，予め枠組みした新設サッシ枠を該既設サッシ枠に嵌め込んでその下枠本体３２をブラケット４０の支持条４３に載置し，該新設サッシ枠の載置状態で，既設上枠１１，左右の既設縦枠１２に固定された連結金具２４と新設上枠２１，左右の新設縦枠２２をそれぞれネジ５１によって引寄せ固定するとともに下枠本体３２をブラケット４０の支持条４３と既設下枠１３にネジ５１固定し，新設上枠２１及び新設縦枠２２と既設の額縁１５間にアルミ製額縁６１を配置するようにするものとしてある。これによって新設上枠２１及び左右の新設縦枠２２は，その上記ネジ５１の引寄せ固定により，気密材５２を介して既設上枠１１及び左右の既設縦枠１２に対接し，これらの間が気密材５２の圧着によって封止され，またブラケット４０と下枠本体３２間も気密材５２で封止される結果，気密性を高度の確保した納まりが得られ，また額縁６１を配置したことによって室内側に連結金具２４やネジ５１等が露出することなく仕上り外観を良好に確保することができるようになる。
【００２６】
図３及び図４は，既設サッシ枠の見込幅が上記例より１ｃｍ程度大きく且つ既設サッシ枠の既設下枠１１が室外側に傾斜する傾斜基板を有する場合の改装サッシの例を示したもので，本例にあって新設サッシ枠の新設上枠２１，左右の新設縦枠２２及び新設下枠３１の下枠本体３２は，これらを上記例のものを共通に，従って障子７１も共通に用いて同じく既設サッシ枠をカバーして新設サッシ枠を設置してその改装を行ったものとしてある。
【００２７】
本例にあって該新設上枠２１及び左右の新設縦枠２２の設置は，幅方向中間を凹陥した中間凹陥のチャンネル材２３を用いて該チャンネル材２３を既設上枠１１及び左右の既設縦枠１２の開口にそれぞれ嵌合し凹陥した底壁から既設上枠１１及び左右の既設縦枠１２にネジ５１固定する一方，該チャンネル材２３の室内側及び室外側のフラット面に，例えば室内外方向に既設上枠１１及び既設縦枠１２を覆う長さを有し，幅を数ｃｍ程度とした断面Ｌ字状にして開口側に張り出す張出突片を具備した連結金具２４を所定間隔に対接してネジ５１固定し，該連結金具２４の上記張出突片に新設上枠２１及び左右の新設縦枠２２の室内側固定フィンを対接し，該張出突片からそれぞれネジ５１を螺入し，該ネジ５１によって新設上枠２１及び新設縦枠２２を室内側に引込み，上記と同様にこれらの室外側先端の押圧フィンに設置した気密材５２を既設上枠１１及び既設縦枠１２の室外側フィンに圧着して，その設置を行ったものとしてある。
【００２８】
また本例にあって新設下枠３１のブラケット４０は，これを，上記と同様に室内側の水平の窓台載置条４１と，室外側に該窓台載置条４１と段差をなすように下位に位置した同じく水平の支持条４３と，側面起立条４５とを備えたものとするも，支持条４３の室外側への突出幅を拡大するように，窓台載置条４１を幅広とし，その先端側から連結部を介して，これに交差するように支持条４３を配置し且つ該交差することによって室内側に伸びた支持条４３の室内側端部に下向き垂直の側面起立条４５を備えた複雑断面形状のものとしてあり，本例にあって上記窓台載置条４１はその下面に小リブを配置して窓台１６からの突出高さを極小化した状態でその窓台１６への載置固定を行うものとしてある。
【００２９】
本例のブラケット４０は，その窓台載置条４１を上記と同様に窓台１６に載置固定し且つ側面起立条４５を窓台１６の室外側側面に添設することによって，支持条４３の位置を，上記例のものより１ｃｍ程度室外側に持出すことによって既設サッシ枠の見込幅に対応し得るようにしてあり，これによって新設下枠３１の下枠本体３２の位置を持出してその支持条４３への載置固定を行うとともにその室外側下端部位を既設下枠１３の図示省略の下向きフィン乃至躯体に対接固定することによって，下枠本体３２を共通に使用しながら見込幅の変化を吸収したものとしてある。
【００３０】
このとき本例の改装サッシＡにおける下枠本体３２の上記同一高さとしたガイドレール３４及び起立条３５は，該高さを上記窓台１６の平坦上面と同一又は略同一をなす納まりとしてある。即ちガイドレール３４及び起立条３５は，その高さの半分程度を上記窓台載置条４１より上位に配置した納まりとしたものとするが，該ガイドレール３４及び起立条３５は該窓台載置条４１より突出するも，上記窓台１６の平坦な上面と同一高さとすることによって上記と同様に室内側からの良好な外観を確保したものとしてある。
【００３１】
その余の構造，固定の関係，改装方法の手順は上記例と変らないので重複する説明を省略する。
【００３２】
以上のように構成した上記各改装サッシＡは，それぞれ室内側の簡易な作業によって，既設下枠のガイドレールを切断除去することなく，既設下枠をカバーして新設サッシ枠における新設下枠を設置するカバー工法によるサッシ改装をなし得るとともに上記下枠本体のガイドレール及び起立条の上記高さを上記窓台載置条と同一又は略同一をなす納まりとし，また，上記窓台の平坦上面と同一又は略同一をなす納まりとするようにして，改装サッシＡの新設下枠３１が窓台１６上方へ突出するのを抑制して開口の狭まりを可及的に防止し得る好ましい納まり構造を得られ，上記ブラケット４０が窓台１６の室外側側面に固定する側面起立条４５を備えることによって，支持条４３に下枠本体３２を載置するブラケット４０の構造強度と安定した設置を可能とし，下枠本体３２を内外一対のガイドレール３４と該下枠本体３２との間で気密性を確保する気密材設置用２条の起立条３５を備えた引き違いサッシ用とし，これらガイドレール３４，起立条３５の高さを同一高さとすることによって，下枠本体３２に異長に起立するものがないようにしてガイドレール３４によって開閉案内する内外障子７１の共通化と室内側からの装着及び取外しを可能とするとともに室内側からの外観を良好としたものとすることができる。特に新設下枠３１の下枠本体３２を載置固定する支持条４３は，既設下枠１３の少なくとも室内側のガイドレール上に位置することになるから，新設下枠３１，特にその下枠本体３２によって既設下枠１３の全体を覆った改装が可能となり，上記既設下枠１３における室外側のガイドレールを切断除去する等の作業が必要なく，室内側における簡易な作業によって比較的短時間にサッシ改装を完了することが可能となる。
【００３３】
なお側面起立条４５は，窓台載置条４１を窓台１６に載置固定するに際して室内側に引寄せるようにして添設すれば支持条４３の支障を安定して行うものとなし得るので，作業の簡便性から該添設とするのが好ましいが，必要に応じてこれを窓台１６に固定することができ，該固定を行うときは側面起立条４５の室外側から窓台１６にネジを螺入してそのネジ止めをすればよい。
【００３４】
図示した例は以上のとおりとしたが，本発明の実施に当って，新設サッシ枠，新設下枠，下枠本体，ブラケット，必要に応じて用いる側面起立条，ガイドレール，起立条等の各具体的形状，構造，これらの関係，これらと既設サッシ枠，既設下枠，窓台等との関係，改装の具体的方法等は，上記発明の要旨に反しない限り様々な形態のものとすることができる。
【図面の簡単な説明】
【００３５】
【図１】改装サッシの縦断面図である。
【図２】図１の改装サッシの横断面図である。
【図３】他の例にかかる改装サッシの縦断面図である。
【図４】図３の改装サッシの横断面図である。
【符号の説明】
【００３６】
Ａ  改装サッシ
１１  既設上枠
１２  既設縦枠
１３  既設下枠
１４  網戸レール
１５  既設額縁
２１  新設上枠
２２  新設縦枠
２３  チャンネル材
２４  連結金具
３１  新設下枠
３２  下枠本体
３３  下枠基板
３４  ガイドレール
３５  起立条
３６  載置用脚部
３７  下向き突片
３８  対接固定部
３９  網戸レール
４０  ブラケット
４１  窓台載置条
４２  突出条
４３  支持条
４４  挟持リブ
４５  側面起立条
５１  ネジ
５２  気密材
６１  アルミ額縁
７１  新設障子
【図１】
0004794282.tif 000002
【図２】
0004794282.tif 000003
【図３】
0004794282.tif 000004
【図４】
0004794282.tif 000005